(57)【要約】【課題】外気導入の不足による室内の負圧発生現象を解消し、外気の室内への導入効率を促進すると共にホコリ，異物，虫等の室内への進入を防止し、かつ簡便、安価に装着，実施できる外気導入用窓を提供する。【解決手段】既設の窓枠のレールに摺動可能に装着される枠体５の一面及びこれと相対向する他面には第１のルーバ式窓体２と第２のルーバ式窓体３が取付けられ、その間にはフィルタ４が介設される。なお、第１のルーバ式窓体２は枠体５に開閉可能に装着される。以上の構造により、第１及び第１のルーバ式窓体２，３のルーバ６より外気は室内に常に導入される。ルーバ６により雨水の進入は防止され、フィルタ４により虫，ホコリや塵埃の進入が防止される。【選択図】図３
2005068907.tif 000002
【特許請求の範囲】
【請求項１】
建物等の窓又はその近傍に着脱可能に装着され、室内に外気を導入するための外気導入用窓であって、該窓は、前記建物等の窓枠に装着される枠体と、該枠体の一面側に設けられる第１のルーバ式窓体と、前記枠体の他面側に前記第１のルーバ式窓体と相対向して設けられる第２のルーバ式窓体と、前記枠体に保持され該第２のルーバ式窓体と前記第２のルーバ式窓体との間に介設されるフィルタとからなることを特徴とする外気導入用窓。
【請求項２】
前記第１又は第２のルーブ式窓体が、前記枠体に開閉自在に支持されることを特徴とする請求項１に記載の外気導入用窓。
【請求項３】
前記フィルタが、塵埃，殺菌，除臭，マイナスイオン発生の全機能又はいずれかの機能を有するものからなることを特徴とする請求項１に記載の外気導入用窓。
【請求項４】
前記枠体が、前記建物等の窓枠に設けられているサッシュ用のガイドレールに摺動可能に支持されることを特徴とする請求項１に記載の外気導入用窓。
【請求項５】
前記建物等の窓側と前記枠体との間にはシール部材が介設されることを特徴とする請求項１に記載の外気導入用窓。
【請求項６】
前記外気導入用窓が建物の窓の外側に設けられ、前記窓の面積とほぼ同一の面積のものからなることを特徴とする請求項１乃至３及び５に記載の外気導入用窓。
【発明の詳細な説明】
【技術分野】
【０００１】
本発明は、建物の窓枠に装着され、室内に外気を十分に導入するための外気導入用窓に係り、特に、室内の清浄化と環境保全化等を図り、簡単に、かつ安価に装着，実施される外気導入用窓に関する。
【背景技術】
【０００２】
一般の建物の窓としては各種のものがあるが、主として住宅用の窓としては図７及び図８に示すものが一般に採用されている。即ち、住宅用の窓としては窓枠９の窓レール１１に支持される一対の開閉窓１２，１３と、この外面側にサッシュレール１０により摺動自在に支持されるサッシュ１４と、サッシュ１４の外方に配置される雨戸１５等とからなる。なお、開閉窓１２，１３の１つを開口し、その開口面に相対向してサッシュ１４を配置することにより室内の空気の出入を行うことができる。しかしながら、通常は開閉窓１２，１３を開口せずに空調装置等を設けて室内の温度コントロールをして室内を快適空間にするようにしている。このため室内の換気が時々必要となり、例えば、図７に示す換気装置１６や給気装置を取付ける場合が多い。なお、室の換気のための公知技術としては数多くあるが、本発明に関連するものとして例えば「特許文献１」や「特許文献２」が挙げられる。
【特許文献１】特開平１０−３００１４４
【特許文献２】特開２００２−２６６５４９
【発明の開示】
【発明が解決しようとする課題】
【０００３】
図７に示すように換気装置１６を用いると室内の空気は外気側に排気され、室内の不純物や塵埃等を外気側に放出することができる。しかしながら、排気のみでは室内が負圧となり、新気の導入が必要性となり、時折開閉窓１２，１３を開口する必要がある。しかしながら、室内が負圧になっている場合に開口すると新気の導入と共に、虫やホコリや塵埃等も多量に進入してくる問題点がある。また、短時間の開閉窓１２，１３の開口では新気の導入量が不足し、快適な室内空間を形成することが難しい問題点がある。
【０００４】
「特許文献１」の特開平１０−３００１４４号の「換気口」は固定式の換気口であり、換気筒の外面側に突起したカバー筒を設けその間にルーバを形成し、主に防風と塵埃の進入を防止することを目的とするものであるが、外気を十分に導入する機能としては不十分のものであり、虫や異物や細かい塵埃が進入する恐れが十分にある。また、「特許文献２」の特開２００２−２６６５４９号の「換気窓用サッシュ」はサッシュ構造に特徴を有するものであり、サッシュの開閉を円滑に行わせて、サッシュ開閉の確実化を外気の導入機能の増大を図るようにしたものである。しかしながら、この構造にても虫やホコリや異物の進入防止に対しては不十分であり、外気導入性についても不十分である問題点がある。
【０００５】
本発明は、以上の問題点を解決するもので、外気導入が効率的に行われると共に、虫，異物や細かい塵埃の室内への導入を十分に防ぐことができ、既設の窓に対しても容易に装着でき、簡便、かつ安価に実施できる外気導入用窓を提供することを目的とする。
【課題を解決するための手段】
【０００６】
本発明は、以上の目的を達成するために、請求項１の発明は、建物等の窓に着脱可能に装着され、室内に外気を導入するための外気導入用窓であって、該窓は、前記建物等の窓枠に装着される枠体と、該枠体の一面側に設けられる第１のルーバ式窓体と、前記枠体の他面側に前記第１のルーバ式窓体と相対向して設けられる第２のルーバ式窓体と、前記枠体に保持され該第２のルーバ式窓体と前記第２のルーバ式窓体との間に介設されるフィルタとからなることを特徴とする。
【０００７】
また、請求項２の発明は、前記第１又は第２のルーブ式窓体が、前記枠体に開閉自在に支持されることを特徴とする。
【０００８】
また、請求項３の発明は、前記フィルタが、塵埃，殺菌，除臭，マイナスイオン発生の全機能又はいずれかの機能を有するものからなることを特徴とする。
【０００９】
また、請求項４の発明は、前記枠体が、前記建物等の窓枠に設けられているサッシュ用のガイドレールに摺動可能に支持されることを特徴とする。
【００１０】
また、請求項５の発明は、前記建物等の窓側と前記枠体との間にはシール部材が介設されることを特徴とする。
【００１１】
また、請求項６の発明は、前記外気導入用窓が建物の窓の外側に設けられ、前記窓の面積とほぼ同一の面積のものからなることを特徴とする。
【発明の効果】
【００１２】
本発明によれば、２重のルーバ窓体により、ホコリや異物及び塵埃の進入が防止されると共に１つのルーバ式窓体を開口することにより、外気を十分に導入することができる。また、フィルタを介設することにより細かいホコリの進入防止ができる。
【００１３】
また、本発明によれば、フィルタを殺菌性や除臭性等のものから形成することにより、室内の清浄化と安全化と居住者の健康向上が図れ、快適空間を形成することができる。
【００１４】
また、本発明によれば、既設のサッシュのガイドレールに簡単に装着でき、特別の取付け工事を必要としない。よって、比較的安価に実施でき、交換やメンテナンスの容易化が図れる。
【００１５】
また、本発明によれば、シール部材を建物等の窓側と枠体との間に介設することにより、シール性の向上が図られ、ホコリ等の確実な導入防止及び隙間風の進入が防止される。
【００１６】
外気導入用窓を建物の窓の外側に並設し、その面積を前記窓と同一のものにすることにより、より多い外気の導入ができる。
【発明を実施するための最良の形態】
【００１７】
以下、本発明の外気導入用窓の実施の形態を図面に基づき詳述する。図１は本発明の外気導入用窓１を建物の既設の窓枠９に装置した状態を示す正面図であり、図２は外気導入用窓１の第１又は第２のルーバ式窓体２（３）を開口しフィルタ４を露出させた状態を示すものである。外気は閉止されている第１又は第２のルーバ式窓体２（３）のルーバ６の隙間から導入され、フィルタ４を通って室内側に導入され、逆に第２又は第１のルーバ式窓体３（２）のルーバ５の隙間から室内の空気がフィルタ４を通って外気側に排気されることになる。これにより、換気や外気の導入が円滑に行われると共に、虫やホコリ及び異物の導入が防止される。
【実施例１】
【００１８】
図３は本発明の外気導入用窓１の全体構造を説明するための断面図である。外気導入用窓１としては大別して第１のルーバ式窓体２と、これと相対向して配置（又は形成）されている第２のルーバ式窓体３と、この第１のルーバ式窓体２と第２のルーバ式窓体３との間に介設されるフィルタ４と、これ等を保持する枠体５等とからなる。
【００１９】
枠体５は図２に示すように本実施例では四角状の外枠体からなり、建物の窓枠９のサッシュレール１０に摺動自在に装着されるものからなる。第１のルーバ式窓体２は枠体５に嵌り込む四角状の窓体からなり、多数のルーバ６が形成される。また、第１のルーバ式窓体２は図２に示すようにヒンジ７等により枠体５に開閉自在に片持ち支持される。一方、第２のルーバ式窓体３は本実施例では枠体５と一体的に形成される固定式の窓体からなり、多数のルーバ６が第１のルーバ式窓体２と同様に形成される。
【００２０】
フィルタ４は前記のように枠体５の開口面を塞ぐ四角形状のものからなり、枠体５に着脱可能に保持される。フィルタ４の機能としては特に限定するものではないが、例えば、メッシュの細かいフェルト状の素材からなり、殺菌処理，除臭処理されているものからなり、更に、炭素繊維等からなりマイナスイオンを発生する素材や処理を施されたもの等が望ましいがこれに限定するものではない。なお、既存の空調機のフィルタとして使用されているものであってもよい。
【００２１】
図４は建物の既設の開閉窓１２の枠の部分と本発明の外気導入用窓１の枠体５との間に介設されたシール部材８を示す。前記のように、本発明の外気導入用窓１は建物等の窓枠９のガイドレール１０に摺動自在に装着されるものであり、既設の開閉窓１３との間には隙間が生じ易く、この隙間より隙間風や塵埃が進入する恐れがある。シール部材８はこれを防止するものである。なお、シール部材８は外気導入用窓１の枠体５の側に貼着されるが、これに限定するものではない。
【００２２】
次に、本発明の外気導入用窓１の作用を説明する。建物の窓わく９のサッシュレール１０に摺動自在に装着される外気導入用窓１は、通常の状態では第１のルーバ状窓体２は開放されない状態に保持される。開閉窓１２，１３を閉止している状態では、室内に外気は導入されないが開閉窓１２，１３の１つを開口し、その開口部に本発明の外気導入用窓１を装着することにより外気導入用窓１が開放された開閉窓１２（１３）の代りになる。外気導入用窓１には第１及び第２のルーバ状窓体２，３があり、これ等はルーバ６を形成するため、外気はルーバ６を介して室内に導入される。この場合、フィルタ４により外気内のホコリや塵埃は除去される。また、導入された空気は殺菌や除臭処置され、かつマイナスイオンを帯電した状態で室内に導入される。また、ルーバ６やフィルタ４により、強風時においても円滑な外気導入ができる。なお、暴風時等には開閉窓１２，１３を閉止することにより外気の室内への進入は防止される。また、前記のようにシール部材８の存在により、シール性が保持され、除塵や隙間風の進入が防止される。一方、フィルタ４が汚れたり、目詰り等が生じた場合には、第１のルーバ式窓体２を開口することによりフィルタ４の交換やメンテナンスが容易に行われる。また、ルーバ６があるため、雨等の室内側への進入は防止される。
【実施例２】
【００２３】
図５，図６は建物の窓の外側に前記窓とほぼ同一の面積の外気導入用窓１ａを設けた実施例を示す。この外気導入用窓１ａは、例えば、建物の窓からすこし離れた位置に取り付けられたルーバ状窓体２ａの開口側を除き建物側にシールされて装着される。この広い面積のルーバ状窓体２ａを設けることにより、より多量の外気を室内に取り込むことができる。
【産業上の利用可能性】
【００２４】
本発明の外気導入用窓は住宅の窓に限らず、すべての建物の窓に適用される。なお、窓に限らず、開閉口を有する場所に対しても適用可能である。また、実施例では、窓枠からサッシュを外してそのサッシュレールに外気導入用窓１を装着した場合について説明したがこれに限定するものではない。
【図面の簡単な説明】
【００２５】
【図１】本発明の外気導入用窓を建物の窓の部分に装着した状態を示す正面図。
【図２】本発明の外気導入用窓の第１のルーバ式窓体を開口し、内部のフィルタを露出させた状態を示す部分斜視図。
【図３】本発明の外気導入用窓の詳細構造を示す縦断面図。
【図４】本発明の外気導入用窓と既設の窓との間にシール部材を介設した状態を示す部分斜視図。
【図５】建物の窓とほぼ同一の面積の外気導入用窓を示す正面図。
【図６】図５の側面図。
【図７】従来の建物の窓及び換気装置を示す正面図。
【図８】従来の建物の開閉窓まわりの構造を示す縦断面図。
【符号の説明】
【００２６】
１    外気導入用窓
１ａ  外気導入用窓
２    第１のルーバ式窓体
２ａ  ルーバ状窓体
３    第２のルーバ式窓体
４    フィルタ
５    枠体
６    ルーバ
７    ヒンジ
８    シール部材
９    窓枠
１０  サッシュレール
１１  窓レール
１２  開閉窓
１３  開閉窓
１４  サッシュ
１５  雨戸
１６  換気装置
【図１】
2005068907.tif 000003
【図２】
2005068907.tif 000004
【図３】
2005068907.tif 000005
【図４】
2005068907.tif 000006
【図５】
2005068907.tif 000007
【図６】
2005068907.tif 000008
【図７】
2005068907.tif 000009
【図８】
2005068907.tif 000010